(57)【特許請求の範囲】
【請求項１】
導電性の金属板からなり、上板部及び下板部と、前記上板部に連成部を介して連続する板状被樹脂成形部とを有するバッテリーターミナルと、前記板状被樹脂成形部に対し樹脂成形により一体化する電流センサとを備えるとともに、
バッテリーのバッテリーポストに接続されるポスト部と、負荷の接続部分となるスタッドボルト部と、前記バッテリーターミナル及び前記電流センサの一体化部分となるセンサ部とを有し、
該センサ部においては、
前記板状被樹脂成形部は、前記連成部の外縁部を構成し前記バッテリーポストの締め付け方向に伸びる形状に形成される第１の被樹脂成形部と、該第１の被樹脂成形部に一端が連続し前記連成部から見て前記ポスト部と反対の方向に延在し前記スタッドボルト部に他端が連続する第２の被樹脂成形部と、を備え、前記第１の被樹脂成形部に形成される穴状又はスリット状の貫通部と、
該貫通部を埋める前記電流センサの樹脂成形部における穴埋め部とを有する
ことを特徴とする電流センサ付きバッテリーターミナル。
【請求項２】
請求項１に記載の電流センサ付きバッテリーターミナルにおいて、
前記バッテリーポストの締め付け方向に前記センサ部と前記スタッドボルト部とを並べて配置する
ことを特徴とする電流センサ付きバッテリーターミナル。
【請求項３】
請求項２に記載の電流センサ付きバッテリーターミナルにおいて、
前記バッテリーポストの軸方向に直交する軸に平行な所定軸線に合わせて前記貫通部及び前記穴埋め部を配置する
ことを特徴とする電流センサ付きバッテリーターミナル。
【請求項４】
請求項１に記載の電流センサ付きバッテリーターミナルにおいて、
前記バッテリーポストの締め付け方向に直交する軸に沿って且つ前記ポスト部に近い側に前記センサ部が位置するように前記センサ部と前記スタッドボルト部とを並べて配置する
ことを特徴とする電流センサ付きバッテリーターミナル。
【発明の詳細な説明】
【技術分野】
【０００１】
本発明は、バッテリーターミナルに電流センサを組み付けてなる電流センサ付きバッテリーターミナルに関する。
【背景技術】
【０００２】
近年、自動車の高機能化に伴い電装品が増加してきている。電装品の増加は、車載バッテリーの消耗を激しくするということが知られている。従来より、バッテリーのバッテリーポストにはバッテリーターミナルが接続され、このバッテリーターミナルにはケーブル端末の端子が接続され、端子にはバッテリーの残存容量を監視するための電流センサが組み付けられている。電流センサは、略環状となるコア及びホール素子を備えており、端子に対し挿通により組み付けられるようになっている（例えば下記特許文献１参照）。
【先行技術文献】
【特許文献】
【０００３】
【特許文献１】特開２００２−１４１０５４号公報（図４及び図５）
【発明の概要】
【発明が解決しようとする課題】
【０００４】
上記従来技術にあっては、ケーブル端末の端子をバッテリーターミナルに接続するにあたり、電流センサを端子に対し挿通して組み付けをする必要があることから、端子とバッテリーターミナルとの接続が終わるまでの作業性を考えた場合、工数がかかってしまうという問題点を有している。
【０００５】
また、上記従来技術にあっては、電流センサの組み付け先が端子であることから、バッテリーポストやバッテリーから離れた位置での組み付けになり、結果、バッテリーの周囲に比較的大きなスペースを確保しなければならないという問題点も有している。
【０００６】
そこで、本願発明者は、バッテリーターミナルに対し樹脂成形をして電流センサを一体化することを考えた。この考えによれば、上記問題点の解消を図ることができるということを本願発明者は見いだした。
【０００７】
尚、本願発明者は、バッテリーターミナルに対し電流センサを樹脂成形により一体化する考えだけにとどまらず、以下の対策をする必要があることも見いだした。すなわち、バッテリーターミナルと電流センサとを樹脂成形により一体化し、これをバッテリーポストに接続固定した後、例えば負荷に接続される電線端末の端子をバッテリーターミナルのスタッドボルトに接続する際の作業に関し、対策をする必要があることを見いだした。具体的には、大きな締め付けトルクによって樹脂成形部分に応力が集中すると、これにより金属面と樹脂面との密着部分に剥がれが生じて樹脂成形部分が外れてしまうという虞があり、このような虞があることから、これを対策する必要があるということを見いだした。
【０００８】
上記樹脂成形部分の外れが起こると、全体的な外観が悪くなるのは勿論のこと、繰り返しの使用が困難になり、さらには、振動等からの影響も受け易くなってしまうという、様々な不具合が懸念される。
【０００９】
本発明は、上記した事情に鑑みてなされたもので、樹脂成形により一体化した部分の外れ防止を図ることが可能な、電流センサ付きバッテリーターミナルを提供することを課題とする。
【課題を解決するための手段】
【００１０】
上記課題を解決するためになされた請求項１記載の本発明の電流センサ付きバッテリーターミナルは、導電性の金属板からなり、上板部及び下板部と、前記上板部に連成部を介して連続する板状被樹脂成形部とを有するバッテリーターミナルと、前記板状被樹脂成形部に対し樹脂成形により一体化する電流センサとを備えるとともに、バッテリーのバッテリーポストに接続されるポスト部と、負荷の接続部分となるスタッドボルト部と、前記バッテリーターミナル及び前記電流センサの一体化部分となるセンサ部とを有し、該センサ部においては、前記板状被樹脂成形部は、前記連成部の外縁部を構成し前記バッテリーポストの締め付け方向に伸びる形状に形成される第１の被樹脂成形部と、該第１の被樹脂成形部に一端が連続し前記連成部から見て前記ポスト部と反対の方向に延在し前記スタッドボルト部に他端が連続する第２の被樹脂成形部と、を備え、前記第１の被樹脂成形部に形成される穴状又はスリット状の貫通部と、該貫通部を埋める前記電流センサの樹脂成形部における穴埋め部とを有することを特徴とする。
【００１１】
このような特徴を有する本発明によれば、バッテリーターミナルに対し電流センサを樹脂成形により一体化すると、金属面と樹脂面とが密着するとともに、バッテリーターミナルの貫通部が電流センサの穴埋め部にて穴埋めされるようになる。従って、仮に外力により金属面と樹脂面との密着部分に剥がれが生じたとしても、貫通部と穴埋め部との穴埋め状態、言い換えれば係合状態が維持される限り、樹脂成形部分の外れが防止されるようになる。
【００１２】
請求項２記載の本発明の電流センサ付きバッテリーターミナルは、請求項１に記載の電流センサ付きバッテリーターミナルにおいて、前記バッテリーポストの締め付け方向に前記センサ部と前記スタッドボルト部とを並べて配置することを特徴とする。  
【００１３】
このような特徴を有する本発明によれば、バッテリーターミナルの軸に直行する方向にセンサ部とスタッド部とを並べて配置することにより、比較的全長の短いコンパクトな電流センサ付きバッテリーターミナルになる。従って、樹脂成形部分の外れが防止されたコンパクトな電流センサ付きバッテリーターミナルになる。
【００１４】
請求項３記載の本発明の電流センサ付きバッテリーターミナルは、請求項２に記載の電流センサ付きバッテリーターミナルにおいて、前記バッテリーポストの軸方向に直交する軸に平行な所定軸線に合わせて前記貫通部及び前記穴埋め部を配置することを特徴とする。
【００１５】
このような特徴を有する本発明によれば、バッテリーターミナルの軸に直行する方向にセンサ部とスタッド部とを並べて配置した場合、特に有効になる。具体的には、スタッド部に大きな締め付けトルクが掛かったとしても、この締め付けトルクによる影響の低減に有効な位置に貫通部及び穴埋め部が配置される電流センサ付きバッテリーターミナルになる。
【００１６】
請求項４記載の本発明の電流センサ付きバッテリーターミナルは、請求項１に記載の電流センサ付きバッテリーターミナルにおいて、前記バッテリーポストの締め付け方向に直交する軸に沿って且つ前記ポスト部に近い側に前記センサ部が位置するように前記センサ部と前記スタッドボルト部とを並べて配置することを特徴とする。
【００１７】
このような特徴を有する本発明によれば、ポスト部とスタッド部との間にセンサ部を配置する形態の電流センサ付きバッテリーターミナルになる。本発明によれば、このような形態にしても、樹脂成形部分の外れが防止されるようになる。
【発明の効果】
【００１８】
請求項１に記載された本発明によれば、貫通部と穴埋め部とを有することにより、樹脂成形によって一体化した部分の外れを防止することができるという効果を奏する。これにより、全体的な外観を損なうことがなく、また、繰り返しの使用を可能にし、さらには、振動等からの影響も受け難くすることが可能な電流センサ付きバッテリーターミナルを提供することができるという効果を奏する。
【００１９】
請求項２〜請求項４に記載された本発明によれば、電流センサ付きバッテリーターミナルのより良い一形態を提供することができるという効果を奏する。
【図面の簡単な説明】
【００２０】
【図１】（ａ）は本発明の電流センサ付きバッテリーターミナルの平面図、（ｂ）はバッテリーターミナルの平面図である（実施例１）。
【図２】（ａ）は図１の電流センサ付きバッテリーターミナルの底面図、（ｂ）はバッテリーターミナルの底面図である。
【図３】（ａ）は図１の電流センサ付きバッテリーターミナルの前側から見た斜視図、（ｂ）はバッテリーターミナルの前側から見た斜視図である。
【図４】（ａ）は図１の電流センサ付きバッテリーターミナルの後側から見た斜視図、（ｂ）はバッテリーターミナルの後側から見た斜視図である。
【図５】本発明の他の例となる電流センサ付きバッテリーターミナルを示す斜視図である（実施例２）。
【図６】（ａ）は図５の電流センサ付きバッテリーターミナルの平面図、（ｂ）はバッテリーターミナルの平面図である。
【発明を実施するための形態】
【００２１】
電流センサ付きバッテリーターミナルは、導電性を有する金属板からなるバッテリーターミナルと、このバッテリーターミナルに対し樹脂成形により一体化する電流センサとを備える。バッテリーターミナルの被樹脂成形部には、穴状又はスリット状の貫通部を形成する。また、電流センサの樹脂成形部分には、貫通部を埋める穴埋め部を形成する。
【実施例１】
【００２２】
以下、図面を参照しながら実施例１を説明する。図１〜図４は本発明の電流センサ付きバッテリーターミナルと、これを構成するバッテリーターミナルの、平面図、底面図、及び斜視図である。
【００２３】
図１において、引用符号１は本発明の電流センサ付きバッテリーターミナルを示している。電流センサ付きバッテリーターミナル１は、特に限定するものでないが、自動車等の移動体に搭載されるバッテリー２のバッテリーポスト３に接続されるバッテリーターミナル４と、このバッテリーターミナル４に対し樹脂成形により一体化する電流センサ５とを備えて構成されている。
【００２４】
電流センサ付きバッテリーターミナル１は、バッテリーポスト３に接続される部分がポスト部６、バッテリーターミナル４及び電流センサ５の一体化部分がセンサ部７、負荷の接続部分がスタッド部８となる構成になっている。センサ部７とスタッド部８は、本実施例において、バッテリーターミナル４の軸Ｌ１に直交する方向に並んで配置されている（他の一例は実施例２で説明をする）。
【００２５】
電流センサ付きバッテリーターミナル１は、以下の説明で分かるようにるが、引用符号Ｃで囲まれる樹脂成形部分が外れない構造を有しており、この構造によって、全体的な外観を損なうことがなく、また、繰り返しの使用を可能にし、さらには、振動等からの影響も受け難くすることができるようなものになっている。
【００２６】
先ず、上記のバッテリー２、バッテリーターミナル４、及び電流センサ５について詳細に説明をする。
【００２７】
バッテリー２は、上面、下面、及び複数の側面を有しており、上面にはバッテリーポスト３が突出するように設けられている。上面は、バッテリーポスト３の立設面となっている。バッテリーポスト３は、先端の直径が基端の直径よりも小さいテーパ状の周側面を有する略円錐台形状に形成されている。本実施例においては、このような形状のバッテリーポスト３（マイナス側）に対して接続固定が可能となるバッテリーターミナル４が用いられている。
【００２８】
図１ないし図４において、バッテリーターミナル４は、導電性を有する金属板をプレス加工することにより図示の形状に形成されている。本実施例においては、Ｓｎメッキが施されている。バッテリーターミナル４は、対向する上板部９及び下板部１０と、一対の締め付け部１１、１１と、一対の抱え込み部１２、１２と、連成部１３と、板状被樹脂成形部１４（被樹脂成形部）と、端子接続部１５とを有している。また、バッテリーターミナル４は、締め付けボルト１６と、この締め付けボルト１６に螺合するナット１７と、端子接続部１５に立設する端子接続用のスタッドボルト１８とを有している。
【００２９】
ここで本実施例においては、バッテリーポスト３の軸方向を上下方向と定義するものとする。また、バッテリーポスト３の先端を上、基端を下と定義するものとする。これにより、上板部９は下板部１０の上に配置されるものとする。このような上下方向に対し直交する方向を左右方向と定義するものとする。左右方向は、センサ部７及びスタッド部８の並び方向、或いは締め付けボルト１６及びナット１７による締め付けの方向に一致するものとする。この他、上下方向及び左右方向に対し、これらに直交する方向を前後方向と定義するものとする。前後方向は、バッテリーターミナル４の軸Ｌ１の方向に一致するものとする。前後方向において、バッテリーポスト３側が前と定義するものとする。
【００３０】
バッテリーターミナル４における上板部９及び下板部１０は、上記金属板を打ち抜いた後、一対の締め付け部１１、１１の部分に曲げを施すことにより上下に対向するように配置されている。
【００３１】
上板部９は、この略中央にバッテリーポスト挿入穴１９を有している。バッテリーポスト挿入穴１９は、バッテリーポスト３を挿入するための部分であって、上下方向に貫通するように形成されている。
【００３２】
上板部９の左右両端部には、下方へ伸びるとともに先端が内側へ折り曲げられて下板部１０に係合する抱え込み部１２がそれぞれ連成されている。一対の抱え込み部１２、１２は、所定の間隔に配置された上板部９及び下板部１０の開きを防止する部分として形成されている。尚、一対の抱え込み部１２、１２は、上記に限らず、下板部１０の左右両端部に連成されて上板部９を抱え込むことができるような構造にしてもよいものとする。
【００３３】
バッテリーポスト挿入穴１９は、バッテリーポスト３の周側面に接触する部分であって、先端が下に向くように上板部９から折り曲げられて形成されている。バッテリーポスト挿入穴１９は、バッテリーポスト３の先端側の直径に合わせて環状に形成されている。バッテリーポスト挿入穴１９は、一対の締め付け部１１、１１の間となる部分が分断された状態に形成されている。引用符号２０はバッテリーポスト挿入穴１９の一部分断された部分を示している。
【００３４】
下板部１０は、この略中央にバッテリーポスト挿入穴２１を有している。バッテリーポスト挿入穴２１は、バッテリーポスト３を挿入するための部分であって、上下方向に貫通するように形成されている。
【００３５】
下板部１０の左右両端部は、一対の抱え込み部１２、１２が係合するように形成されている。また、このような下板部１０の左右両端部には、上方へ伸びて先端が上板部９に当接するような側壁２２がそれぞれ連成されている。一対の側壁２２は、上板部９及び下板部１０の閉じ（近づき）を防止し所定の間隔を維持することができる部分として形成されている。
【００３６】
バッテリーポスト挿入穴２１は、上板部９のバッテリーポスト挿入穴１９と同様にバッテリーポスト３の周側面に接触する部分であって、先端が下に向くように下板部１０から折り曲げられて形成されている。バッテリーポスト挿入穴２１は、バッテリーポスト３の基端側の直径に合わせて環状に形成されている。バッテリーポスト挿入穴２１は、一対の締め付け部１１、１１の間となる部分が分断された状態に形成されている。尚、バッテリーポスト挿入穴２１の一部分断された部分は、上記引用符号２０の部分の真下にこれと同様に形成されているものとする（同じ符号２０を用いる）。
【００３７】
締め付け部１１、１１は、上板部９及び下板部１０を所定の間隔をあけて上下に重なるようにこれらを連結する部分であって、前後方向にＵ字状に湾曲させることにより形成されている。締め付け部１１、１１は、この上側の端部が上板部９の前端に連成されている（上側の一部分断された部分２０の左右両側に連成されている）。また、下側の端部は下板部１０の前端に連成されている（下側の一部分断された部分２０の左右両側に連成されている）。締め付け部１１、１１は、一部分断された部分２０、２０に連通する締め付け間隙２３を有して左右方向に並設されている。このような締め付け部１１、１１の内側には、ボルト挿通孔（符号省略）が形成されている。
【００３８】
締め付け部１１、１１の上記ボルト挿通孔には、締め付けボルト１６が挿入されている。締め付けボルト１６は、締め付け間隙２３を横断して貫通するように挿入されている。締め付けボルト１６は、この軸部先端に螺合するナット１７と共働して、締め付け間隙２３の両側の締め付け部１１、１１を互いに近接する方向に締め付ける機能を有している（締め付けが生じると、バッテリーポスト挿入穴１９、２１が縮径する）。締め付けボルト１６の頭部は、上板部９及び下板部１０の各回り止め部（符号省略）に当接して回り止めがなされるようになっている。
【００３９】
連成部１３は、上板部９と板状被樹脂成形部１４とを連続させる部分として形成されている。連成部１３は、上板部９から真っ直ぐに伸びるように形成されている。連成部１３は、板状被樹脂成形部１４へ向けて次第に幅広となる略ハ字状の形状に形成されている。尚、幅広の形状にしているのは十分な強度を確保するためである。強度確保に関しては、連成部１３に打ち出しを施してビード２４（補強部）を形成することが有効である（ビード２４に限らず、強度アップが可能であれば、他の補強部であってもよいものとする）。
【００４０】
板状被樹脂成形部１４は、電流センサ５を樹脂成形により一体化する部分であって、前端側被樹脂成形部２５と、バスバー状被樹脂成形部２６とを含んで構成されている。尚、板状被樹脂成形部１４の「板状」に関し、本実施例においては板状となる形状であることから、被樹脂成形部を板状被樹脂成形部と呼ぶものとする。特に板状に限定するものではないものとする。
【００４１】
前端側被樹脂成形部２５は、連成部１３の後端に連続する略外縁部形状となる部分であって、左右方向に伸びる形状に形成されている。また、前後方向に短くなる形状に形成されている。前端側被樹脂成形部２５は、上記形状であることから、表裏の面積が小さくなるようになっている（電流センサ５を一体化した時、金属面と樹脂面の密着面積が小さくなるようになっている）。このような前端側被樹脂成形部２５には、特に樹脂成形部分Ｃの外れを防止するための一部として貫通部２７が形成されている。
【００４２】
貫通部２７は、上下方向に貫通する穴であって、本実施例においては長円形状に形成されている。尚、貫通部２７は、樹脂成形部分Ｃの外れを防止することができる形状であれば特に限定されないものとする。例えば、丸穴や角穴やスリットであってもよく、さらには一つに限らず二つや三つ並べてもよいものとする。貫通部２７は、本実施例において軸Ｌ２上に配置形成されている（一例であるものとする。軸Ｌ２は、スタッド部８のスタッドボルト１８を通りバッテリーターミナル４の軸Ｌ１に平行な軸線であるものとする）。また、貫通部２７は、本実施例においてスタッド部８の近傍に配置形成されている。言い換えれば、締め付けの際の力が先ずはじめに掛かるような位置に配置形成されている。
【００４３】
バスバー状被樹脂成形部２６は、この一端が前端側被樹脂成形部２５に連成されている。連成位置は、本実施例において貫通部２７から離れた位置に設定されている。また、バスバー状被樹脂成形部２６の他端は、スタッド部８を構成する端子接続部１５に連成されている。バスバー状被樹脂成形部２６は、所望の経路を有している。本実施例における経路は、比較的全長の短いコンパクトな電流センサ付きバッテリーターミナル１の提供を目的として設定されている（後述する実施例２と比べて全長が短い電流センサ付きバッテリーターミナル１である）。
【００４４】
端子接続部１５とこれに立設するスタッドボルト１８は、スタッド部８を構成しており、図示しない負荷の接続部分となっている。具体的には、図示しないケーブル端末の端子を接続固定することができるように形成されている（スタッドボルト１８に対し図示しないナットを締め付けて、この締め付けにより上記端子を端子接続部１５に押し付けるような接続固定をする部分となっている）。
【００４５】
電流センサ５は、バッテリー２の残存容量を監視するためのものであって、インサート成形によりバッテリーターミナル４の板状被樹脂成形部１４に対し一体化するように組み付けられている。電流センサ５は、図示しないチップ型の電流検出回路部を内蔵するセンサブロック２８と、このセンサブロック２８に連成されるコネクタ部２９とを有して図示の形状に形成されている。
【００４６】
上記図示しない電流検出回路部は、バスバー状被樹脂成形部２６の位置に合わせて配置されている。電流センサ５は、本実施例において、コア及びホール素子を備えないコアレスタイプのものが用いられている。
【００４７】
センサブロック２８は、インサート成形により板状被樹脂成形部１４と端子接続部１５の下面とを樹脂埋めするように成形されている。センサブロック２８は、この大部分が電流センサ５における樹脂成形部分として形成されている。センサブロック２８には、インサート成形によってバッテリーターミナル４の貫通部２７を樹脂埋めする穴埋め部３０が形成されている。穴埋め部３０は、何らかの要因で外力が掛かると、恰も貫通部２７に引っ掛かるような状態（穴埋めにより係合する状態）になり、これによって板状被樹脂成形部１４における前端側被樹脂成形部２５からのセンサブロック２８（樹脂成形部分Ｃ）の外れを防止することができるようになっている。
【００４８】
コネクタ部２９は、ハウジング３１と、このハウジング３１内に配設される複数の端子金具（図示省略）とを有している。ハウジング３１の外側には、図示しない相手側コネクタとの嵌合部分となるロック部３２が形成されている。
【００４９】
次に、上記構成及び構造に基づきながら、電流センサ付きバッテリーターミナル１のバッテリーポスト３への接続について説明をする。
【００５０】
バッテリーポスト３への接続は、先ず電流センサ付きバッテリーターミナル１を下方向に移動させ、そしてバッテリーポスト挿入穴１９、２１をバッテリーポスト３の周側面に接触させる。次に、電流センサ付きバッテリーターミナル１の向きを所定方向に合うように配置する。続いて、電流センサ付きバッテリーターミナル１の横方向からインパクトレンチ等の図示しない工具を用いてナット１７を締め付ける。これにより、バッテリーポスト挿入穴１９、２１は縮径する方向に縮み、バッテリーポスト挿入穴１９、２１はバッテリーポスト３の周側面に対し圧接状態になる。以上により電流センサ付きバッテリーターミナル１の接続が完了する。
【００５１】
バッテリーポスト３への接続がなされた電流センサ付きバッテリーターミナル１に対し、図示しないケーブル端末の端子をスタッド部８に接続固定しようとする場合、図示しないナットの締め付けにより生じる比較的大きな力がバッテリーターミナル４と電流センサ５との一体化部分に掛かるようになる。しかしながら、電流センサ付きバッテリーターミナル１は貫通部２７と穴埋め部３０とを有することから、前端側被樹脂成形部２５からのセンサブロック２８（樹脂成形部分Ｃ）の外れが起こるようなことはない。
【００５２】
以上、図１ないし図４を参照しながら説明してきたように、電流センサ付きバッテリーターミナル１は、前端側被樹脂成形部２５からのセンサブロック２８（樹脂成形部分Ｃ）の外れを防止することができる。従って、全体的な外観を損なうことがなく、また、繰り返しの使用を可能にし、さらには、振動等からの影響も受け難くすることができる。
【実施例２】
【００５３】
以下、図面を参照しながら実施例２を説明する。図５は本発明の他の例となる電流センサ付きバッテリーターミナルを示す斜視図である。また、図６は図５の電流センサ付きバッテリーターミナルの平面図、図６（ｂ）はバッテリーターミナルの平面図である。
【００５４】
図６及び図７において、引用符号４１は本発明の他の例となる電流センサ付きバッテリーターミナルを示している。電流センサ付きバッテリーターミナル４１は、バッテリー２のバッテリーポスト３（図１参照）に接続されるバッテリーターミナル４２と、このバッテリーターミナル４２に対し樹脂成形により一体化する電流センサ４３とを備えて構成されている。
【００５５】
電流センサ付きバッテリーターミナル４１は、バッテリーポスト３（図１参照）に接続される部分がポスト部４４、バッテリーターミナル４２及び電流センサ４３の一体化部分がセンサ部４５、負荷の接続部分がスタッド部４６となる構成になっている。センサ部４５は、ポスト部４４とスタッド部４６との間に配置されている。本実施例においては、電流センサ付きバッテリーターミナル４１の軸Ｌ３に沿って、ポスト部４４、センサ部４５、及びスタッド部４６が並んで配置されている。ポスト部４４、センサ部４５、及びスタッド部４６の各機能は実施例１と同じであって、ここでは詳細な説明を省略するものとする。
【００５６】
電流センサ付きバッテリーターミナル４１は、センサ部４５において、貫通部４７と穴埋め部４８とを有している。貫通部４７は、バッテリーターミナル４２の板状被樹脂成形部４９（被樹脂成形部）に形成されている。また、穴埋め部４８は、電流センサ４３のセンサブロック５０に形成されている。尚、貫通部４７及び穴埋め部４８は、実施例１の貫通部２７及び穴埋め部３０と同じに形成されている。
【００５７】
以上、図６及び図７を参照しながら説明してきたように、電流センサ付きバッテリーターミナル４１は、センサ部４５において、樹脂成形部分が外れない構造を有しており、この構造によって、全体的な外観を損なうことがなく、また、繰り返しの使用を可能にし、さらには、振動等からの影響も受け難くすることができるようなものになっている。
【００５８】
この他、本発明は本発明の主旨を変えない範囲で種々変更実施可能なことは勿論である。
【００５９】
尚、上記説明におけるポスト部６、４４の形状は一例であるものとし、例えば背景技術の欄に記載した特許文献１に開示されるポスト部形状を採用してもよいものとする。
【符号の説明】
【００６０】
Ｃ…樹脂成形部分
１…電流センサ付きバッテリーターミナル
２…バッテリー
３…バッテリーポスト
４…バッテリーターミナル
５…電流センサ
６…ポスト部
７…センサ部
８…スタッド部
９…上板部
１０…下板部
１１…締め付け部
１２…抱え込み部
１３…連成部
１４…板状被樹脂成形部（被樹脂成形部）
１５…端子接続部
１６…締め付けボルト
１７…ナット
１８…スタッドボルト
１９、２１…バッテリーポスト挿入穴
２０…一部分断された部分
２２…側壁
２３…締め付け間隙
２４…ビード
２５…前端側被樹脂成形部
２６…バスバー状被樹脂成形部
２７…貫通部
２８…センサブロック
２９…コネクタ部
３０…穴埋め部
３１…ハウジング
３２…ロック部
４１…電流センサ付きバッテリーターミナル
４２…バッテリーターミナル
４３…電流センサ
４４…ポスト部
４５…センサ部
４６…スタッド部
４７…貫通部
４８…穴埋め部
４９…板状被樹脂成形部（被樹脂成形部）
５０…センサブロック
【図１】
0005809793.tif 000002
【図２】
0005809793.tif 000003
【図３】
0005809793.tif 000004
【図４】
0005809793.tif 000005
【図５】
0005809793.tif 000006
【図６】
0005809793.tif 000007